(57)【要約】【課題】断熱収納室の容積が比較的小さい場合でも、冷却運転停止終了時において商品が所定温度以上となることを防止できる自動販売機を提供する。【解決手段】断熱収納室７の背面壁部内側に背面ダクト２７を配設し、背面ダクト２７と収納搬送装置１０との間に、上下方向に延びて通風する後部通風路３１が設けられ、内扉５と収納搬送装置１０との間に、上下方向に延びて通風する前部通風路３２が設けられている。これにより、冷却運転停止時において、後部通風路３１と前部通風路３２とにおいて、それぞれ、冷たい空気が下方に移動し、暖かい空気が上方に移動するように対流することが可能となり、断熱収納室７の容積が比較的小さい場合でも、冷却運転停止終了時において商品Ｓが所定温度以上となることを防止できる。【選択図】図１
2017120460.tif 000002
【特許請求の範囲】
【請求項１】
外扉を開閉自在に支持する自動販売機本体に、断熱性を有し、商品を収納する商品収納庫が設けられ、
商品収納庫の前面開口部が内扉で開閉自在とされ、
商品収納庫に設けられた断熱収納室に商品を収納して下方から搬出する収納搬送装置が配設され、
断熱収納室の背面壁部内側に、断熱収納室の上部空間または下部空間の空気を導入して、断熱収納室の下部に配設された庫内熱交換器および庫内ファンに導く背面ダクトが配設されている自動販売機であって、
背面ダクトと収納搬送装置との間に、上下方向に延びて通風する後部通風路が設けられ、
内扉と収納搬送装置との間に、上下方向に延びて通風する前部通風路が設けられていることを特徴とする自動販売機。
【請求項２】
庫内ファンで送り出される空気を収納搬送装置側に吹き出す吹出孔が、断熱収納室の下部における前領域と後領域とに分けて形成されていることを特徴とする請求項１に記載の自動販売機。
【請求項３】
内扉の庫内側に、前側に窪むとともに上下方向に延びて前部通風路として機能する凹状溝部が形成され、凹状溝部は、内扉の下部に形成された搬出口の上方箇所から、内扉における収納搬送装置の高さ方向中途部に対応する位置まで形成されていることを特徴とする請求項１または２に記載の自動販売機。
【請求項４】
前部通風路を構成する凹状溝部は、収納搬送装置における最も前方で上下に延びる収納搬送通路の商品投入口の高さ以下に形成されていることを特徴とする請求項３に記載の自動販売機。
【請求項５】
前部通風路を構成する凹状溝部は、自動販売機本体の側面部に沿って配設されている収納搬送通路に対応して形成されていることを特徴とする請求項１〜４の何れか１項に記載の自動販売機。
【発明の詳細な説明】
【技術分野】
【０００１】
本発明は自動販売機、特に自動販売機の保冷構造に関する。
【０００２】
図８、図９に示すように、外扉１０１を開閉可能に支持する自動販売機本体１０２内に、断熱構造の商品収納庫１０３を備え、この商品収納庫１０３内を冷却したり、加温したりして、内部に収納した商品Ｓを適温にして販売する（すなわち、冷却した商品や加温した商品Ｓを販売する）自動販売機１００は広く知られている。
【０００３】
商品収納庫１０３は前面が開口され、この開口部分を開閉する断熱構造の内扉１０４が開閉自在に取り付けられている。なお、商品収納庫１０３内は、断熱性を有する仕切壁１２３により、複数の断熱収納室１２４に左右に分割されている。商品収納庫１０３の断熱収納室１２４には商品Ｓが上下に積み重ねた状態などで収納されて搬送される収納搬送装置１０５が配設されている。収納搬送装置１０５には、商品Ｓを上下方向に蛇行状に延びる状態で収納する収納搬送通路１０６や、この収納搬送通路１０６の下端部の商品を一つずつシュート１０７上に払い出す商品搬出機構１０８や、商品Ｓを収納搬送装置１０５の内部に投入するための商品投入口１０９や、商品投入口１０９に投入された商品を収納搬送通路１０６の上端部に導く傾斜案内通路１１０などが設けられている。
【０００４】
なお、図８、図９における、１１１は外扉１０１の下部に開口されて商品Ｓが取り出し可能とされた商品取出口、１１２は内扉１０４の下部に開口されて、シュート１０７に排出された商品を通過させて商品取出口１１１に導く搬出口である。搬出口１１２には搬出口扉１１３が開閉自在に取り付けられている。
【０００５】
自動販売機１００には冷凍サイクルなどからなる冷却装置（調温装置）が備えられている。冷却装置は、自動販売機本体１０２の下部に位置して外気が導入可能な庫外（庫外空間）１１５にそれぞれ配設されている圧縮機１１６、庫外熱交換器１１７、庫外ファン１１８や、断熱収納室１２４の下部、すなわち、断熱収納室１２４におけるシュート１０７の下方に配設されている庫内熱交換器１１９、庫内ファン１２０などを備えている。また、庫内熱交換器１１９の下方には、冷却運転時に庫内熱交換器１１９から発生するドレン水を庫外に排出するドレン水通路１２１が商品収納庫１０３の底面部を貫通して形成されている。
【０００６】
商品収納庫１０３の背面部（断熱収納室１２４の背面壁部）と収納搬送装置１０５の背面部との間には、上下に延びる背面ダクト１２１が配設されている。この背面ダクト１２１は、上端が商品収納庫１０３の上部に開口され、下端が庫内熱交換器１１９や庫内ファン１２０の配設箇所に開口されて接続されている。冷却運転時には、背面ダクト１２１の上端開口部から断熱収納室１２４の上部の空気が吸引され、庫内熱交換器１１９で冷却された空気が庫内ファン１２０で送風されて断熱収納室１２４の下部に排出される。
【０００７】
シュート１０７には例えば全領域にわたって通気孔１０７ａが形成され、この通気孔１０７ａを通して、収納搬送装置１０５の下部側に向けて上方に冷却された空気が送り出されて、断熱収納室１２４に収納された商品Ｓが冷却される。
【０００８】
ところで、近年、省エネルギー化を図るべく、所定時間のみ冷却運転を行い、残りの時間については冷却運転を停止するいわゆるピークシフト運転を行う自動販売機が増加しつつある。この種の自動販売機においては、所定時間のみ（例えば夜間のみ）冷却運転を行って商品Ｓを冷やし込み、その後は、冷却された商品Ｓによりできるだけ冷却状態を保持する（すなわち保冷する）よう構成されており、収納搬送通路１０６内の商品は下方側から順次搬出されるため、販売する可能性の高い、収納搬送通路１０６の下方寄りの商品Ｓ群が所定温度以下に保持されていることが好ましい。
【０００９】
なお、上記従来の自動販売機と同様に、背面ダクトを有して、商品収納庫（断熱収納室）内の上部側の空気を吸引し、庫内熱交換器により冷却された空気を、庫内ファンにより、シュートの全領域に形成された通気孔を通して、収納搬送装置の下部側に向けて送り出し、収納搬送装置内の商品を冷却する自動販売機が、例えば特許文献１等に開示されている。
【先行技術文献】
【特許文献】
【００１０】
【特許文献１】特開２００３−３４６２３６号公報
【発明の概要】
【発明が解決しようとする課題】
【００１１】
自動販売機においては、商品収納庫１０３の容積（詳しくは、商品収納庫１０３の断熱収納室１２４の容積）が異なる種々のものがある。断熱収納室１２４の容積が大きい場合には、収納されている商品Ｓの数が大きいため、冷却運転停止時の商品Ｓによる保冷能力が比較的大きくなり、冷却運転停止中での商品の温度上昇を抑えることができて、冷却運転停止終了時においても商品Ｓが所定温度以下に保持される。
【００１２】
しかしながら、断熱収納室１２４の容積が比較的小さく、収納されている商品Ｓの数が小さい場合には、冷却運転停止時の商品Ｓによる保冷能力も小さくなるため、冷却運転停止終了中に、商品Ｓの温度が上昇し易くなる。
【００１３】
特に、内扉１０４の下部に設けられている搬出口１１２や商品収納庫１０３の底面部を貫通して設けられているドレン水通路１２２とは外気との流通が最小限に抑えられるものの、ある程度は有しているため、収納搬送通路１０６の下部は最も早く搬出される商品Ｓが収納されている領域であるにもかかわらず、冷却運転が停止されると温度上昇し易くなる。
【００１４】
また、収納搬送装置１０５の前面部は内扉１０４に臨んでおり、収納搬送装置１０５の背面部は商品収納庫１０３の背面部（断熱収納室１２４の背面壁部）に臨んでいるため、収納搬送装置１０５の前面部や背面部に近い収納搬送通路１０６に収納されている商品Ｓは、冷却運転停止中において時間の経過に伴って収納搬送装置１０５の前後方向中間部に対して温度上昇し易くなる傾向がある。
【００１５】
また、商品収納庫１０３の前面開口部周囲と内扉１０４との間には、空気の流通を防止するパッキンが配設されているが、この商品収納庫１０３の前面開口部周囲と内扉１０４との合わせ面からの熱の流通は、商品収納庫１０３の断熱材配設箇所よりも大きい。
【００１６】
本発明は上記課題を解決するもので、断熱収納室の容積が比較的小さい場合でも、冷却運転停止終了時において商品が所定温度以上となることを防止できる自動販売機を提供することを目的とするものである。
【課題を解決するための手段】
【００１７】
上記課題を解決するために本発明は、外扉を開閉自在に支持する自動販売機本体に、断熱性を有し、商品を収納する商品収納庫が設けられ、商品収納庫の前面開口部が内扉で開閉自在とされ、商品収納庫に設けられた断熱収納室に商品を収納して下方から搬出する収納搬送装置が配設され、断熱収納室の背面壁部内側に、断熱収納室の上部空間または下部空間の空気を導入して、断熱収納室の下部に配設された庫内熱交換器および庫内ファンに導く背面ダクトが配設されている自動販売機であって、背面ダクトと収納搬送装置との間に、上下方向に延びて通風する後部通風路が設けられ、内扉と収納搬送装置との間に、上下方向に延びて通風する前部通風路が設けられていることを特徴とする。
【００１８】
この構成により、冷却運転停止時において、後部通風路と前部通風路とにおいて、それぞれ、冷たい空気が下方に移動し、暖かい空気が上方に移動するように対流することが可能となる。その結果、断熱収納室の背面壁部に臨んでいる収納搬送装置の背面部領域の下部の冷却運転停止後の温度上昇や、内扉に臨んでいる収納搬送装置の前面部領域の下部の冷却運転停止後の温度上昇が抑えられ、冷却運転停止終了時において収納搬送装置の下方寄りの商品が所定温度以上となることを防止できる。
【００１９】
また、本発明は、庫内ファンで送り出される空気を収納搬送装置側に吹き出す吹出孔が、断熱収納室の下部における前領域と後領域とに分けて形成されていることを特徴とする。
【００２０】
この構成により、冷却運転時における庫内ファンで送り出される冷却空気が、吹出孔を通して断熱収納室の下部における前領域と後領域とに（すなわち、断熱収納室の下部における前後方向中間の領域を除いて）吹き出され、冷却空気が前部通風路および後部通風路に積極的に供給される。その結果、断熱収納室の容積が比較的小さい場合でも、断熱収納室の背面壁部に臨んでいる収納搬送装置の背面部領域や、内扉に臨んでいる収納搬送装置の前面部領域の商品が冷え込み易くなり、冷却運転時や冷却運転停止時からの温度が低めに抑えられ、これに伴って冷却運転停止終了時において商品が所定温度以上となることを防止できる。
【００２１】
また、本発明は、内扉の庫内側に、前側に窪むとともに上下方向に延びて前部通風路として機能する凹状溝部が形成され、凹状溝部は、内扉の下部に形成された搬出口の上方箇所から、内扉における収納搬送装置の高さ方向中途部に対応する位置まで形成されていることを特徴とする。
【００２２】
この構成によれば、前部通風路として機能する凹状溝部が、内扉における前記収納搬送装置の高さ方向中途部に対応する位置までしか形成されていないため、凹状溝部においては、断熱収納室の上部の空気が凹状溝部に流入し難くなる。冷却運転が停止されると、暖かい空気が断熱収納室の天井部近傍箇所に溜まるなどして断熱収納室の上部の温度が高くなり易いが、このような場合でも、高温となった断熱収納室の上部の空気が凹状溝部に流入し難くなるため、収納搬送装置の前部下方側領域に収納されている商品の温度上昇を抑えることができる。また、前部通風路を内扉の凹状溝部により構成することで、自動販売機本体の収納搬送装置の寸法を変更しなくても済み、製造コストの増加を最小限に抑えることができる。
【００２３】
また、本発明の前部通風路を構成する凹状溝部は、収納搬送装置における最も前方で上下に延びる収納搬送通路の商品投入口の高さ以下に形成されていることを特徴とする。
【００２４】
この構成によれば、上下に延びる収納搬送通路において上下に積み重ねている商品、すなわち、早く搬出される商品を重点的に冷却することができる。また、いわゆるサーペンタイン式の自動販売機においては、前記収納搬送装置における最も前方で上下に延びる収納搬送通路の商品投入口の高さよりも上方の箇所では、奥行方向に設けられた収納搬送通路の商品投入口と当該商品投入口から投入した商品を奥側に案内する傾斜導入通路とが形成されているが、この傾斜導入通路が形成されている領域は、傾斜導入通路一杯に商品が充填されていなかったり、傾斜導入通路一杯に商品が充填されていても通路高さが商品よりも高かったりするため、収納搬送通路の領域に比べて空隙部が多くなる。このため傾斜導入通路が形成されている領域では空気や熱の対流がおき易くなるが、この構成によれば、収納搬送装置における最も前方で上下に延びる収納搬送通路の商品投入口の高さ以下に凹状溝部が形成されているため、傾斜導入通路が形成されている領域と凹状溝部との間の空気の流れが抑制されるので、傾斜導入通路が形成されている領域の空気や熱の動きが抑制されて断熱収納室の上部の温かい空気が上方に留まり、下方にある収納搬送通路の領域の保冷効果が低下することを防止できる。
【００２５】
また、本発明の前部通風路を構成する凹状溝部は、自動販売機本体の側面部に沿って配設されている収納搬送通路に対応して形成されていることを特徴とする。この構成によれば、自動販売機本体の側面部を介して高温となり易い、自動販売機本体の側面部に沿って配設されている収納搬送通路の温度上昇を抑えることができる。
【発明の効果】
【００２６】
本発明によれば、背面ダクトと収納搬送装置との間に、上下方向に延びて通風する後部通風路を設け、内扉と収納搬送装置との間に、上下方向に延びて通風する前部通風路を設けることにより、断熱収納室の容積が比較的小さい場合でも、断熱収納室の背面壁部に臨んでいる収納搬送装置の背面部領域の下部の冷却運転停止後の温度上昇や、内扉に臨んでいる収納搬送装置の前面部領域の下部の冷却運転停止後の温度上昇が抑えられ、断熱収納室の容積が小さくて、収納している商品による保冷能力が小さくても、冷却運転停止終了時において収納搬送装置の下方寄りの商品が所定温度以上となることを防止できる。
【００２７】
また、庫内ファンで送り出される空気を前記収納搬送装置側に吹き出す吹出孔を、前記商品収納庫における中間部を除く前部と後部とに形成することにより、冷却運転時に冷却空気が、吹出孔を通して前記商品収納庫における中間部を除く前部と後部とに吹き出され、冷却空気が前部通風路および後部通風路に積極的に供給されるので、収納搬送装置の背面部領域や前面部領域の下端部およびこの近傍箇所の冷却運転停止終了時における商品温度を所定温度以下に抑えることができる。
【００２８】
また、前部通風路を、内扉に前側に窪むとともに上下方向に延びる凹状溝部により構成することにより、自動販売機本体の収納搬送装置の寸法を変更しなくても済み、製造コストの増加を最小限に抑えることができる。また、凹状溝部を、内扉の下部に形成された搬出口の上方箇所から、内扉における前記収納搬送装置の高さ方向中途部に対応する位置まで形成することにより、前部通風路においては、断熱収納室の上部の空気が前部通風路に流入し難くなり、収納搬送装置の前部下方側領域に収納されている商品の温度上昇を抑えることができる。
【００２９】
また、凹状溝部を、収納搬送装置における最も前方で上下に延びる収納搬送通路の商品投入口の高さ以下に形成することにより、搬出される順番が前の、上下に延びる収納搬送通路において上下に積み重ねている商品を重点的に冷却することができるとともに、保冷効果が低下することを防止できる。
【００３０】
また、凹状溝部を、自動販売機の側面部に沿って配設されている収納搬送通路に対応して形成することにより、自動販売機の側面部を介して高温となり易い、自動販売機の側面部に沿って配設されている収納搬送通路の温度上昇を抑えることができる。
【図面の簡単な説明】
【００３１】
【図１】本発明の実施の形態に係る自動販売機の側面断面図である。
【図２】同自動販売機の斜視図で、外扉および内扉を開けた状態を示す。
【図３】同自動販売機の自動販売機本体の正面図である。
【図４】同自動販売機の自動販売機本体の、シュートの直上箇所で切断した平面断面図である。
【図５】同自動販売機の側面断面図で、冷却運転停止時の空気の流れを示す図である。
【図６】本発明の他の実施の形態に係る自動販売機の自動販売機本体の正面図である。
【図７】同自動販売機の自動販売機本体の、シュートの直上箇所で切断した平面断面図である。
【図８】従来の自動販売機の側面断面図である。
【図９】同従来の自動販売機の斜視図で、外扉および内扉を開けた状態を示す。
【発明を実施するための形態】
【００３２】
以下、本発明の実施の形態に係る自動販売機を、図面に基づき説明する。なお、以下の説明における左右方向とは、自動販売機の正面に配設される外扉に向かった状態で左右となる方向を示している。また、ここで示す実施の形態はあくまでも一例であって、必ずしもこの実施の形態に限定されるものではない。
【００３３】
図１、図２に示すように、自動販売機１は、外扉３を開閉可能に支持する自動販売機本体２内に、断熱構造の商品収納庫４を備えた構成とされ、商品収納庫４内を冷却したり、加温したりして、商品収納庫４の内部（詳しくは、商品収納庫４に設けられた後述する断熱収納室７）に収納した商品Ｓを適温にして販売する（すなわち、冷却した商品や加温した商品Ｓを販売する）。外扉３の下部には商品Ｓを取り出し可能な商品取出口６が設けられている。また、この自動販売機１では、所定時間のみ（例えば夜間の所定時間のみ）冷却運転を行い、残りの時間（例えば昼間）については冷却運転を停止するいわゆるピークシフト運転を実行可能に構成されている。
【００３４】
商品収納庫４内は、断熱性を有する仕切壁８により、複数の断熱収納室７（この実施の形態では左断熱収納室７Ａと中断熱収納室７Ｂと右断熱収納室７Ｃ）に左右に分割されている。商品収納庫４は前面が開口され、この開口部を開閉する断熱構造の内扉５が開閉自在に取り付けられている。商品収納庫４の断熱収納室７（７Ａ〜７Ｃ）と内扉５との間はパッキン（図示せず）などにより閉鎖時に密閉される。
【００３５】
商品収納庫４の断熱収納室７（７Ａ〜７Ｃ）には商品Ｓが上下に積み重ねた状態などで収納されて搬送、搬出される収納搬送装置１０が配設されている。収納搬送装置１０には商品Ｓを上下方向に蛇行状に延びる状態で収納する収納搬送通路１１や、商品収納庫４の前面上部で開口され、商品Ｓを補充時に投入する商品投入口１２や、商品投入口１２から斜め後方に延びて収納搬送通路１１の上端に接続されて商品投入口１２に投入された商品Ｓを収納搬送通路１１まで案内する傾斜案内通路１３や、収納搬送通路１１の下端部の商品を一つずつ下方に搬出する（払い出す）商品搬出機構１４などが設けられている。収納搬送通路１１は奥行方向に複数列設けられ、この実施の形態では、左断熱収納室７Ａと中断熱収納室７Ｂとでは左右方向に１列、右断熱収納室７Ｃには、左右方向に複数列（例えば２列）設けられているが、これに限るものではない。また、商品投入口１２および傾斜案内通路１３も収納搬送通路１１に対応して上下に複数配設されている。なお、手前側の収納搬送通路１１ほど下方側の商品投入口１２や傾斜案内通路１３に接続されているが、最前列の収納搬送通路１１だけは、収納搬送通路１１の上端部に直接、商品投入口１２が設けられている（すなわち、最前列の収納搬送通路１１には、傾斜案内通路１３が設けられていない）。また、収納搬送装置１０の収納搬送通路１１や傾斜案内通路１３は薄肉の金属板など（側板や円弧状板部材、床板など）が組み合わせて形成されている。
【００３６】
商品収納庫４の断熱収納室７（７Ａ〜７Ｃ）の下部には、手前側ほど下方となるように傾斜して配置されて、収納搬送通路１１から搬出された商品を商品取出口６側に案内するシュート１５が配設され、内扉５の下部には、シュート１５で案内されて流れ落ちる商品Ｓを通過させる搬出口１６が形成されている。搬出口１６には搬出口扉１７が開閉自在に取り付けられている。また、この実施の形態では、内扉５が、補充時に商品Ｓを投入可能な商品投入口１２に対応する位置に配設されている上部内扉５Ａと、この上部内扉５Ａより下方の下部内扉５Ｂとに上下に２分割されており、商品Ｓの補充時には、上部内扉５Ａだけを開けて商品Ｓを補充できるよう構成されている。
【００３７】
自動販売機１には、冷凍サイクルなどからなる調温装置（冷却装置および加温装置）が備えられている。調温装置は、自動販売機本体２の下部に位置して外気が導入可能な庫外（庫外空間）１８にそれぞれ配設されている圧縮機１９、庫外熱交換器２０、庫外ファン２１や、商品収納庫４の断熱収納室７の下部、すなわち、断熱収納室７におけるシュート１５の下方にそれぞれ配設されている庫内熱交換器２２、ヒータ２３、庫内ファン２４などを備えている。また、庫内熱交換器２２の下方には、冷却時に庫内熱交換器２２から発生するドレン水を庫外１８に排出するドレン水通路２５が商品収納庫４の底面部を貫通して形成されている。なお、図１における２６は、庫外１８に排出されたドレン水を蒸発させて外部に排出するドレン皿である。
【００３８】
商品収納庫４の断熱収納室７の背面壁部と収納搬送装置１０の背面部との間には、上下に延びる矩形管形状などの背面ダクト２７がそれぞれ配設されている。この背面ダクト２７は、上端が断熱収納室７の背面部上部空間に開口され、下端が庫内熱交換器２２や庫内ファン２４の配設箇所に開口されて接続されている。なお、この実施の形態では、前方から後方に向けて、ヒータ２３、庫内熱交換器２２、庫内ファン２４の順に配設されており、庫内ファン２４の背面部に背面ダクト２７の下端部が接続されている。また、庫内ファン２４および庫内熱交換器２２の配設箇所は四方（上下左右）が覆われている一方、ヒータ２３の配設箇所は上方ならびに前方が開放されている。
【００３９】
冷却運転時には、背面ダクト２７の上端開口部から商品収納庫４の断熱収納室７の上部の空気が吸引され、庫内熱交換器２２で冷却された空気が庫内ファン２４で送られて、商品収納庫４の断熱収納室７の下部に排出される。なお、加温運転時にも同様の流れで、ヒータ２３で加温された空気が吸引および送り出される。また、庫内熱交換器２２を蒸発器としてだけでなく、凝縮器として用いることが可能に構成して、庫内熱交換器２２により加温可能に構成したり、別途に加温用の庫内熱交換器を設けて配設したりしてもよい。
【００４０】
上記構成に加えて、図１、図４に示すように、背面ダクト２７と収納搬送装置１０（より詳しくは収納搬送装置１０の背面部）との間に、上下方向に延びて通風する後部通風路３１が設けられている。また、図１〜図３に示すように、内扉５と収納搬送装置１０（より詳しくは収納搬送装置１０の前面部）との間に、上下方向に延びて通風する前部通風路３２が設けられている。なお、図３は自動販売機本体２の正面図であり、図４は自動販売機本体２の、シュート１５の直上箇所で切断した平面断面図であり、図４においては収納搬送装置１０を仮想線で示している。
【００４１】
この実施の形態では、後部通風路３１は、図４に示すように、商品収納庫４の各断熱収納室７にそれぞれ設けられた背面ダクト２７と収納搬送装置１０（より詳しくは収納搬送装置１０の背面部）との間に隙間が設けられ、この隙間により後部通風路３１が形成されている。また、この実施の形態では、後部通風路３１を構成する隙間は、背面ダクト２７の前側中央部を窪ませるように形成して構成されている。ここで、後部通風路３１は、全ての断熱収納室７（７Ａ〜７Ｃ）に設けられており、２列の収納搬送装置１０が収納されている容積の大きな右側の断熱収納室７Ｃについては、背面ダクト２７も各収納搬送装置１０に対応して２つ設けられ、各背面ダクト２７と収納搬送装置１０との間に後部通風路３１が設けられている。
【００４２】
また、前部通風路３２は、図１〜図３に示すように、内扉５の背面部に、前側に窪むとともに上下方向に延びるように形成された凹状溝部３３によって窪んだ空間で構成されている。この凹状溝部３３により構成された前部通風路３２は、内扉５の下部に形成された搬出口１６の上方箇所から、内扉５における収納搬送装置１０の高さ方向中途部に対応する位置まで形成されている。より具体的には、前部通風路３２を構成する凹状溝部３３は、収納搬送装置１０における最も前方で上下に延びる収納搬送通路１１の商品投入口１２の高さ以下に形成されている。また、この実施の形態では、凹状溝部３３は、自動販売機本体２の側面部に沿って配設されているとともに、１列の収納搬送装置１０だけが配設されている容量の小さな左側の断熱収納室７Ａにのみ形成されている。
【００４３】
また、庫内熱交換器２２やヒータ２３により冷却されたり加温されたりして調温された空気は、庫内ファン２４により、シュート１５に形成された吹出孔１５ａを通して、断熱収納室７（７Ａ〜７Ｃ）における収納搬送装置１０が配設されている箇所に送風されるよう構成されているが、図４に示すように、吹出孔１５ａは、断熱収納室７（７Ａ〜７Ｃ）の下部における前領域と後領域とに分けて、すなわち、断熱収納室７（７Ａ〜７Ｃ）の下部における前後方向中間部を除いて形成されている。なお、この実施の形態では、吹出孔１５ａは、自動販売機本体２の側面部に沿って配設されているとともに、１列の収納搬送装置１０だけが配設されている容量の小さな左側の断熱収納室７Ａにのみ、断熱収納室７（７Ａ〜７Ｃ）の下部における前領域および後領域に形成されているが、残りの断熱収納室７Ｂ、７Ｃの下部においては前領域のみ形成されている。
【００４４】
上記構成において、ピークシフト運転が実行された際の冷却運転停止時では、後部通風路３１と前部通風路３２とにおいて、それぞれ、図５に示すように、冷たい空気が下方に移動し（実線矢印）、暖かい空気が上方に移動する（破線矢印）ように対流する。その結果、背面壁部に臨んでいる収納搬送装置１０の背面部領域の下部の冷却運転停止後の温度上昇や、内扉５に臨んでいる収納搬送装置１０の前面部領域の下部の冷却運転停止後の温度上昇が抑えられる。これにより、断熱収納室７（７Ａ〜７Ｃ）の容積が小さくて、収納している商品Ｓによる保冷能力が小さくても、断熱収納室７（７Ａ〜７Ｃ）の下方寄りの商品Ｓの温度が上昇することを防止できる。
【００４５】
また、上記構成によれば、後部通風路３１を構成する隙間が、背面ダクト２７の前側中央部を窪ませるように形成して構成されているので、自動販売機本体２の収納搬送装置１０の寸法を変更しなくても済み、製造コストの増加を最小限に抑えることができる。また、断熱収納室７Ａにおいて、前部通風路３２を内扉５の凹状溝部３３により構成することにより、自動販売機本体２の収納搬送装置１０の寸法を変更しなくても済み、製造コストの増加を最小限に抑えることができる。
【００４６】
また、内扉５の凹状溝部３３により構成された前部通風路３２が、内扉５における収納搬送装置１０の高さ方向中途部に対応する位置までしか形成されていないため、前部通風路３２において断熱収納室７Ａの上部の空気が凹状溝部３３に流入し難くなる。また、冷却運転が停止されると、暖かい空気が断熱収納室７Ａの天井部近傍箇所に溜まるなどして温度が高くなり易いが、このような場合でも、高温となった断熱収納室７Ａの天井部近傍の空気が、凹状溝部３３に流入し難くなるため、収納搬送装置１０の前部下方側領域に収納されている商品Ｓの温度上昇を抑えることができる。
【００４７】
また、上記構成において、凹状溝部３３は、収納搬送装置１０における最も前方で上下に延びる収納搬送通路１１の商品投入口１２の高さ以下に形成されている。この構成によれば、上下に延びる収納搬送通路１１において上下に積み重ねている商品Ｓ、すなわち、早く搬出される商品Ｓを重点的に冷却することができる。また、図１、図５に示すように、収納搬送装置１０における最も前方で上下に延びる収納搬送通路１１の商品投入口１２の高さよりも上方の箇所では、奥行方向に設けられた複数の収納搬送通路１１の商品投入口１２と当該商品投入口１２から投入した商品Ｓを奥側に案内する複数の傾斜導入通路１３が形成されているが、傾斜導入通路１３の通路高さは商品Ｓよりも高く、商品Ｓは通路底面に沿って並ぶ状態となるため、傾斜導入通路１３一杯に商品Ｓが充填されていても商品Ｓの上方に連続する空間が存在する状態となる。また、商品Ｓが販売されるなどで傾斜導入通路１３一杯に商品Ｓが充填されていなかったりする。このため、この傾斜導入通路１３が形成されている領域は、収納搬送通路１１の領域に比べて空隙部が多くなり、空気や熱の対流がおき易くなるが、この構成によれば、収納搬送装置１０における最も前方で上下に延びる収納搬送通路１１の商品投入口１２の高さ以下に凹状溝部３３が形成されているため、傾斜導入通路１３が形成されている領域と凹状溝部３３との間の空気の流れが抑制されるので、傾斜導入通路１３が形成されている領域の空気や熱の動きが抑制されて断熱収納室７の上部の温かい空気が上方に留まり、下方にある収納搬送通路１１の領域の保冷効果が低下することを防止できる。
【００４８】
また、上記構成において、凹状溝部３３は、収納搬送装置１０における最も前方で上下に延びる収納搬送通路１１の商品投入口１２の高さに形成しているが、凹状溝部３３の高さが低すぎると、冷却運転停止時の凹状溝部３３での空気の対流効果が低下し商品の保冷効果が低下するとともに、冷却運転時には収納搬送装置の前面部領域の冷却効果も低下するので、凹状溝部３３は、収納搬送装置１１の高さ方向の中央部の高さ以上に形成することが望ましい。
【００４９】
また、上記構成において、自動販売機本体２の側面部に沿って配設されているとともに、１列の収納搬送装置１０だけが配設されている容量の小さな左側の断熱収納室７Ａに臨む内扉５の領域においては、前部通風路３２を構成する凹状溝部３３が形成されている。この構成によれば、自動販売機本体２の側面部を介して高温となり易い、自動販売機本体２の側面部に沿って配設されている断熱収納室７Ａの収納搬送通路１１の温度上昇を抑えることができる。
【００５０】
なお、図６、図７に示すように、前部通風路３２を構成する凹状溝部３３を、左側の断熱収納室７Ａに対応する箇所だけでなく、内扉５における、自動販売機本体２の右側面部に沿う右側に断熱収納室７Ｃに対応する箇所にも形成してもよい。また、この実施の形態では、この断熱収納室７Ｃに対応する箇所に形成されている凹状溝部３３については、商品投入口１２を開閉する上部内扉５Ａには形成されず、下部内扉５Ｂの箇所にのみ形成されているが、これに限るものではなく、凹状溝部３３を、収納搬送装置１０における最も前方で上下に延びる収納搬送通路１１の商品投入口１２の高さ以下に形成してもよい。
【００５１】
また、上記構成によれば、自動販売機本体２の側面部に沿って配設されているとともに、１列の収納搬送装置１０だけが配設されている容量の小さな左側の断熱収納室７Ａのシュート１５においては、吹出孔１５ａが、断熱収納室７Ａの下部における前領域と後領域とに分けて、すなわち、断熱収納室７Ａの下部における前後方向中間部を除いて形成されている。これにより、冷却運転時における庫内ファン２４で送り出される冷却空気が、吹出孔１５ａを通して断熱収納室７Ａの下部における前領域と後領域とに（すなわち、断熱収納室７Ａの下部における前後方向中間の領域を除いて）吹き出され、冷却空気が前部通風路３２および後部通風路３１に積極的に供給される。その結果、断熱収納室７Ａの背面壁部に臨んでいる収納搬送装置７Ａの背面部領域や、内扉５に臨んでいる収納搬送装置１０の前面部領域の商品Ｓが冷え込み易くなり、冷却運転時や冷却運転停止時からの温度が低めに抑えられ、これに伴って冷却運転停止終了時において商品Ｓが所定温度以上となることを防止できる。
【００５２】
なお、中央の断熱収納室７Ｂは自動販売機本体２の側面部から離れており、また、右側の断熱収納室７Ｃについては容量が大きいため、比較的商品Ｓによる保冷能力が大きいため、下部に商品搬出口１６が設けられている内扉５に臨んでいる前領域（シュート１５の前領域）にのみ吹出孔１５ａが形成されている。これにより、冷却運転時には、断熱収納室７Ｂ、７Ｃの前領域がより冷え込み易くなり、冷却運転停止時において商品Ｓが所定温度以上となることを防止できる。しかし、これに限るものではなく、中央の断熱収納室７Ｂや右側の断熱収納室７Ｃについても、シュート１５の前領域と後領域とに吹出孔１５ａを形成してもよい。
【００５３】
また、上記構成では、背面ダクト２７の一部を窪ませて後部通風路３１を構成したが、これに限るものではなく、単に、収納搬送装置１０と背面ダクト２７との間に通風用の隙間を形成するように構成してもよい。また、内扉５に凹状溝部３３を形成して前部通風路３２を構成したが、単に、内扉５と収納搬送装置１０との間に通風する隙間を設けるよう構成してもよい。また、前部通風路３２として内扉５と収納搬送装置１０との間に通風する隙間と内扉５の凹状溝部３３と設けるように構成してもよく、この場合も、凹状溝部３３は、自動販売機１の側面部を介して高温となり易い自動販売機１の側面部に沿って配設されている収納搬送通路１１に対応した位置に形成することが好ましい。
【００５４】
また、上記構成では、冷却運転時には、背面ダクト２７の上端開口部から商品収納庫４の断熱収納室７の上部の空気が吸引され、庫内熱交換器２２で冷却された空気が庫内ファン２４で送られて、商品収納庫４の断熱収納室７の下部に排出される構成としたが、庫内ファン２４の送風の向きを逆にして、冷却運転時に庫内ファン２４を動作させて商品収納庫４の下部の空気を背面ダクト２７に導入し、冷却された空気を背面ダクト２７の上端開口から断熱収納室７の上部に排出する構成としてもよい。
【００５５】
また、断熱収納室７の背面部上部における背面ダクト２７の上端近傍箇所に、送風ファンを配設してもよい。また、その場合に、前記送風ファンにより、背面ダクト２７内に空気を送り出したり、背面ダクト２７内の空気を断熱収納室７内に送り出したりするように切換え自在に構成してもよい。
【００５６】
また、上記実施の形態では、自動販売機１が、その収納搬送通路１１が蛇行しながら上下に延びるいわゆるサーペンタイン式である場合を述べたが、これに限るものではなく、収納搬送通路が上下に直線状に延びて上下に収納するいわゆる直積み式の自動販売機に上記構成を適用してもよい。
【符号の説明】
【００５７】
１      自動販売機
２      自動販売機本体
３      外扉
４      商品収納庫
５      内扉
７、７Ａ〜７Ｃ    断熱収納室
１０    収納搬送装置
１１    収納搬送通路
１２    商品投入口
１３    傾斜案内通路
１４    商品搬出機構
１５    シュート
１５ａ  吹出孔
１６    搬出口
１８    庫外
１９    圧縮機
２０    庫外熱交換器
２１    庫外ファン
２２    庫内熱交換器
２４    庫内ファン
２７    背面ダクト
３１    後部通風路
３２    前部通風路
３３    凹状溝部
Ｓ      商品
【図１】
2017120460.tif 000003
【図２】
2017120460.tif 000004
【図３】
2017120460.tif 000005
【図４】
2017120460.tif 000006
【図５】
2017120460.tif 000007
【図６】
2017120460.tif 000008
【図７】
2017120460.tif 000009
【図８】
2017120460.tif 000010
【図９】
2017120460.tif 000011